(57)【要約】  【課題】  省線化を図りつつ多数のセンサ・監視カメラをドア・窓に配置して、必要な情報を効率的に収集するセキュリティシステムを提供する。  【解決手段】  Ｗｅｂサーバ機能を有し、宅内ネットワーク３０を介して送信される異常検出センサ１０からの検出信号および監視カメラ２０からの映像信号に応じて異常を検出し、外部のネットワーク５０を介して外部端末６０へ異常報知を行う監視サーバシステム４０を備えるセキュリティシステムとした。【選択図】  図１
2005208878.tif 000002
【特許請求の範囲】
【請求項１】
検出対象の挙動に応じて検出信号を送信する一または複数の異常検出センサと、
検出対象の映像信号を送信する一または複数の監視カメラと、
前記異常検出センサおよび前記監視カメラと接続されて信号を伝える宅内ネットワークと、
Ｗｅｂサーバ機能を有し、前記宅内ネットワークを介して送信される前記異常検出センサからの検出信号および前記監視カメラからの映像信号に応じて異常を検出し、外部のネットワークを介して外部端末へ異常報知を行う監視サーバシステムと、
を備えることを特徴とするセキュリティシステム。
【請求項２】
請求項１記載のセキュリティシステムにおいて、
前記異常検出センサは、赤外線により人の有無を検出して検出信号を発信する人感センサ、ドアの開閉または破壊に応じて検出信号を発信するドアセンサ、および、窓の開閉または破壊に応じて検出信号を発信する窓センサであることを特徴とするセキュリティシステム。
【請求項３】
請求項２に記載のセキュリティシステムにおいて、
前記異常検出センサは、漏電を検出して検出信号を発信する漏電検出センサ、ガスを検出して検出信号を発信するガス検出センサ、火災を検出して検出信号を発信する火災検出センサその他の災害検出センサをさらに備えることを特徴とするセキュリティシステム。
【請求項４】
請求項１〜請求項３の何れか一項に記載のセキュリティシステムにおいて、
前記外部端末は、管理者または関係機関の電話器または携帯電話器であって、
前記監視サーバシステムは、異常を検出したとき、予め設定した電話番号の外部端末に異常を通知する内容の音声を発信することを特徴とするセキュリティシステム。
【請求項５】
請求項１〜請求項３の何れか一項に記載のセキュリティシステムにおいて、
前記外部端末は、管理者または関係機関のパーソナルコンピュータまたは携帯電話器であって、
前記監視サーバシステムは、異常を検出したとき、予め設定したメールアドレスの外部端末に異常を通知する内容の電子メールを送信することを特徴とするセキュリティシステム。
【請求項６】
請求項１〜請求項５の何れか一項に記載のセキュリティシステムにおいて、
前記監視サーバシステムは、前記外部端末から出力された操作信号に応じて前記監視カメラの撮影位置を移動させる制御信号を前記監視カメラへ送信することを特徴とするセキュリティシステム。
【請求項７】
請求項１〜請求項６の何れか一項に記載のセキュリティシステムにおいて、
前記宅内ネットワークは、幹線ネットワークと複数の支線ネットワークとを備え、幹線ネットワークに対し、支線ネットワークを介して異常検出センサおよび／または監視カメラがバス型で複数接続されて前記監視サーバシステムと通信することを特徴とするセキュリティシステム。
【請求項８】
請求項１〜請求項６の何れか一項に記載のセキュリティシステムにおいて、
前記宅内ネットワークは、宅内電灯線が幹線ネットワーク、また、電源線が支線ネットワークであり、
前記監視サーバシステムに電源を供給する電源コンセントを通じて幹線ネットワークと前記監視サーバシステムとが接続され、前記異常検出センサおよび／または前記監視カメラに電源を供給する電源コンセントを通じて支線ネットワークを介して幹線ネットワークと前記異常検出センサおよび／または前記監視カメラとが接続されることを特徴とするセキュリティシステム。
【請求項９】
請求項７または請求項８のセキュリティシステムにおいて、
前記宅内ネットワークは、無線ＬＡＮを備え、複数の異常検出センサおよび／または監視カメラと監視サーバシステムとが通信することを特徴とするセキュリティシステム。
【請求項１０】
請求項１〜請求項９の何れか一項に記載のセキュリティシステムにおいて、
前記監視カメラは撮像待機に設定され、前記異常検出センサから出力された検出信号をトリガとして撮像を開始することを特徴とするセキュリティシステム。
【請求項１１】
請求項１〜請求項１０の何れか一項に記載のセキュリティシステムにおいて、
前記異常検出センサが感応した場合に警報を発する警報装置を備えることを特徴とするセキュリティシステム。
【請求項１２】
請求項１１に記載のセキュリティシステムにおいて、
前記警報装置は、不法侵入者へ威嚇警報を行うスピーカ又は回転灯であることを特徴とするセキュリティシステム。  
【請求項１３】
請求項１〜請求項１２の何れか一項に記載のセキュリティシステムにおいて、
前記宅内ネットワークに接続され、押下時に外部へ通報する緊急通報スイッチを備えることを特徴とするセキュリティシステム。
【発明の詳細な説明】
【技術分野】
【０００１】
本発明は、一般住宅，事務所または小規模事業所で使用されるセキュリティシステムに関する。
【背景技術】
【０００２】
防犯システム、または、防災システムに関する従来技術として、例えば、特許文献１，２，３が知られている。
これら特許文献１，２，３では何れもインターネットを利用して外部から居宅・事務所・小規模事業所の内部状況が確認できるようになされている。
【０００３】
【特許文献１】特開２００１−１７５９７５号公報（図１，図５，図８）
【特許文献２】特開２００２−５８０７６号公報（図３）
【特許文献３】特開２００２−１５２７１４号公報（段落番号００３９，図１）
【発明の開示】
【発明が解決しようとする課題】
【０００４】
例えば、居宅・事務所・小規模事業所では不法侵入者の侵入ルートとして窓・玄関が考えられ、これら全てにセンサ等を配置することが好ましい。さらに、可能であれば全ての窓・玄関の近傍の映像を取得する監視カメラを配置することがより好ましい。
しかしながら、居宅内が複数部屋に分かれるとき、居宅内での配線に配慮する必要があった。居宅内が複数部屋に分かれる場合では、センサ・監視カメラと通信するための配線が困難であり、可能な限り省線化を図りたいという要請があった。この点で先に開示された特許文献１，２，３ではセンサ・監視カメラの配置で省線化を図る点まで考慮されたものではなかった。
【０００５】
そこで、本発明は上記問題点を解決するためになされたものであり、その目的は、省線化を図りつつ多数のセンサ・監視カメラをドア・窓に配置して、必要な情報を効率的に収集するセキュリティシステムを提供することにある。
【課題を解決するための手段】
【０００６】
本発明の請求項１に係るセキュリティシステムは、
検出対象の挙動に応じて検出信号を送信する一または複数の異常検出センサと、
検出対象の映像信号を送信する一または複数の監視カメラと、
前記異常検出センサおよび前記監視カメラと接続されて信号を伝える宅内ネットワークと、
Ｗｅｂサーバ機能を有し、前記宅内ネットワークを介して送信される前記異常検出センサからの検出信号および前記監視カメラからの映像信号に応じて異常を検出し、外部のネットワークを介して外部端末へ異常報知を行う監視サーバシステムと、
を備えることを特徴とする。
【０００７】
また、本発明の請求項２に係るセキュリティシステムは、
請求項１記載のセキュリティシステムにおいて、
前記異常検出センサは、赤外線により人の有無を検出して検出信号を発信する人感センサ、ドアの開閉または破壊に応じて検出信号を発信するドアセンサ、および、窓の開閉または破壊に応じて検出信号を発信する窓センサであることを特徴とする。
【０００８】
また、本発明の請求項３に係るセキュリティシステムは、
請求項２に記載のセキュリティシステムにおいて、
前記異常検出センサは、漏電を検出して検出信号を発信する漏電検出センサ、ガスを検出して検出信号を発信するガス検出センサ、火災を検出して検出信号を発信する火災検出センサその他の災害検出センサをさらに備えることを特徴とする。
【０００９】
また、本発明の請求項４に係るセキュリティシステムは、
請求項１〜請求項３の何れか一項に記載のセキュリティシステムにおいて、
前記外部端末は、管理者または関係機関の電話器または携帯電話器であって、
前記監視サーバシステムは、異常を検出したとき、予め設定した電話番号の外部端末に異常を通知する内容の音声を発信することを特徴とする。
【００１０】
また、本発明の請求項５に係るセキュリティシステムは、
請求項１〜請求項３の何れか一項に記載のセキュリティシステムにおいて、
前記外部端末は、管理者または関係機関のパーソナルコンピュータまたは携帯電話器であって、
前記監視サーバシステムは、異常を検出したとき、予め設定したメールアドレスの外部端末に異常を通知する内容の電子メールを送信することを特徴とする。
【００１１】
また、本発明の請求項６に係るセキュリティシステムは、
請求項１〜請求項５の何れか一項に記載のセキュリティシステムにおいて、
前記監視サーバシステムは、前記外部端末から出力された操作信号に応じて前記監視カメラの撮影位置を移動させる制御信号を前記監視カメラへ送信することを特徴とする。
【００１２】
また、本発明の請求項７に係るセキュリティシステムは、
請求項１〜請求項６の何れか一項に記載のセキュリティシステムにおいて、
前記宅内ネットワークは、幹線ネットワークと複数の支線ネットワークとを備え、幹線ネットワークに対し、支線ネットワークを介して異常検出センサおよび／または監視カメラがバス型で複数接続されて前記監視サーバシステムと通信することを特徴とする。
【００１３】
また、本発明の請求項８に係るセキュリティシステムは、
請求項１〜請求項６の何れか一項に記載のセキュリティシステムにおいて、
前記宅内ネットワークは、宅内電灯線が幹線ネットワーク、また、電源線が支線ネットワークであり、
前記監視サーバシステムに電源を供給する電源コンセントを通じて幹線ネットワークと前記監視サーバシステムとが接続され、前記異常検出センサおよび／または前記監視カメラに電源を供給する電源コンセントを通じて支線ネットワークを介して幹線ネットワークと前記異常検出センサおよび／または前記監視カメラとが接続されることを特徴とする。
【００１４】
また、本発明の請求項９に係るセキュリティシステムは、
請求項７または請求項８のセキュリティシステムにおいて、
前記宅内ネットワークは、無線ＬＡＮを備え、複数の異常検出センサおよび／または監視カメラと監視サーバシステムとが通信することを特徴とする。
【００１５】
また、本発明の請求項１０に係るセキュリティシステムは、
請求項１〜請求項９の何れか一項に記載のセキュリティシステムにおいて、
前記監視カメラは撮像待機に設定され、前記異常検出センサから出力された検出信号をトリガとして撮像を開始することを特徴とする。
【００１６】
また、本発明の請求項１１に係るセキュリティシステムは、
請求項１〜請求項１０の何れか一項に記載のセキュリティシステムにおいて、
前記異常検出センサが感応した場合には警報を発する警報装置を備えることを特徴とする。
【００１７】
また、本発明の請求項１２に係るセキュリティシステムは、
請求項１１に記載のセキュリティシステムにおいて、
前記警報装置は、不法侵入者へ威嚇警報を行うスピーカ又は回転灯であることを特徴とする。  
【００１８】
また、本発明の請求項１３に係るセキュリティシステムは、
請求項１〜請求項１２の何れか一項に記載のセキュリティシステムにおいて、
前記宅内ネットワークに接続され、押下時に外部へ通報する緊急通報スイッチを備えることを特徴とする。
【発明の効果】
【００１９】
以上のような本発明によれば、省線化を図りつつ多数のセンサ・監視カメラをドア・窓に配置して、必要な情報を効率的に収集するセキュリティシステムを提供することができる。
【発明を実施するための最良の形態】
【００２０】
本発明を実施するための最良の形態について図に基づき説明する。図１は本形態のセキュリティシステムの配置図、図２は他の形態のセキュリティシステムの構成図であり、図２（ａ）はマイクロＬＡＮ利用システムの構成図、図２（ｂ）は電灯線搬送利用システムの構成図である。
セキュリティシステム１００は、図１で示すように、異常検出センサ１０、監視カメラ２０、宅内ネットワーク３０、監視サーバシステム４０、ネットワーク５０、外部端末６０を備える。
【００２１】
異常検出センサ１０は、検出対象の挙動に応じて所定の閾値を超えた場合に検出信号を送信するセンサであって、詳しくは、赤外線により人の有無を検出して検出信号を発信する人感センサ１１、ドアの開閉または破壊に応じて検出信号を発信するドアセンサ１２、および、窓の開閉または破壊に応じて検出信号を発信する窓センサ１３を備えている。
【００２２】
監視カメラ２０は検出対象の映像信号を送信するカメラであって、送信のために無線ＬＡＮ２１が接続されている。この無線ＬＡＮ２１は監視サーバシステム４０のホームサーバ４２と双方向で直接無線通信する。
宅内ネットワーク３０は、詳しくは幹線ネットワーク３１、支線ネットワーク３２を備える。この宅内ネットワーク３０では、幹線ネットワーク３１に対し、支線ネットワーク３２を介して異常検出センサ１０がバス型で複数接続され、監視サーバシステム４０と通信する。この幹線ネットワーク３１は具体的には一線式バス・システムによるＬＡＮ回線であり、ホームサーバ４２はプロトコル変換器として機能し、宅内ネットワーク３０で利用されているＭｉｃｒｏＬＡＮ （以下、本明細書中ではマイクロＬＡＮと記載する）方式の通信プロトコルと、ネットワーク５０で用いられるＴＣＰ／ＩＰ等インターネット用の通信プロトコルとを相互に変換する。
【００２３】
ここにマイクロＬＡＮとは、ダラス・セミコンダクタ社が開発した一線式バス・システムである。グランド線と信号線を含むケーブルである幹線ネットワーク３１に異常検出センサ１０を接続して、計測・監視制御を行えるようにしたシステムである。双方向データ通信と電源の供給とが一本の信号線で行えるため、従来方式に比べて配線を容易に行うことができる。このようなバス型のネットワークでは、宅内の中央に幹線ネットワーク３１を配線し、適宜支線を引き出して支線ネットワーク３２を構築できるため、省配線化が可能となる。
【００２４】
監視サーバシステム４０は、Ｗｅｂサーバ機能を有し、宅内ネットワーク３０を介して送信される異常検出センサ１０からの検出信号、および監視カメラ２０から無線ＬＡＮ２１を介して送信される映像信号に応じて異常を検出し、外部のネットワーク５０を介して外部端末６０へ異常報知を行うものであり、詳しくはブロードバンドモデム４１、ホームサーバ（Ｗｅｂサーバ）４２、パソコン４３を備える。なお、異常の検出については後述する。
【００２５】
ネットワーク５０は、インターネットによる通信が可能なネットワークである。
外部端末６０は、各種端末を採用できるが、例えばパソコン６１、携帯電話器６２などであり、これらはネットワーク５０により接続されて通信可能となっている。また外部端末６０として、図示しない電話器も含まれており、図示しない公衆回線により接続されて通信可能となっている。
外部端末６０と監視サーバシステム４０とが通信し、管理者または警察・警備会社等の関係機関の監視員が異常報知がされたことを外部端末６０により認識することができる。
【００２６】
このようなセキュリティシステム１００では、異常検出センサ１０から監視サーバシステム４０へ検出信号を送信するようになされ、監視サーバシステム４０はこの検出信号に応じて各種の処理を行う。また、監視カメラ２０から監視サーバシステム４０へ映像信号を送信するようになされ、監視サーバシステム４０はこの映像信号に応じて各種の処理を行う。
【００２７】
また、外部端末６０と監視サーバシステム４０とは双方向で通信可能となっている。また、外部端末６０が監視サーバシステム４０へ監視カメラ２０の操作信号を送信すると、監視サーバシステム４０はこの操作信号に応じた制御信号を監視カメラ２０へ送信し、操作後の監視カメラ２０による映像信号を受信できるようになされている。また、宅内に設置した異常検出センサ１０の状態や、図示しないがオプションとして接続された制御対象機器(家電等)の動作状態を、ネットワーク５０を経由して外部端末６０で確認することができる。また、管理サーバシステム４０のパソコン４３やインターネット経由でＰＣ外部端末６０のパソコン６１や携帯電話器６２からでも上記の各種機能の設定を行うことができる。
【００２８】
続いてこのようなセキュリティシステム１００における処理について説明する。
異常検出センサ１０のうち人感センサ１１は、赤外線により部屋内の侵入者の有無を検出し、侵入者がいる場合には検出信号を発信する。この検出信号は例えば、各種情報、例えば、異常が検出されたことを示す情報（例えば１を示す数値データ）、センサの識別情報（例えばセンサ識別コードデータ）および設置位置情報（例えば文字データ）が含まれており、監視サーバシステム４０は検出信号が入力された場合に識別情報により特定された部屋に侵入者がいるものと判断して異常を検出する。
【００２９】
同様に、異常検出センサ１０のうちドアセンサ１２はマグネット式であり、ドアが開かれたか否か（または破壊されたか否か）を検出し、ドアが開かれた場合には検出信号を発信する。この検出信号も上記の各種情報が含まれており、監視サーバシステム４０は検出信号が入力された場合に識別情報により特定された部屋のドアが侵入者により開けられた（破壊された）ものと判断して異常を検出する。
【００３０】
同様に、異常検出センサ１０のうち窓センサ１３はマグネット式であり、窓が開かれた否か（あるいは窓のガラスが破壊されたか否か）を検出し、窓が開かれた（破壊された）場合には検出信号を発信する。この検出信号も上記の各種情報が含まれており、監視サーバシステム４０は検出信号が入力された場合に識別情報により特定された部屋の窓が侵入者により開けられた（破壊された）ものと判断して異常を検出する。
【００３１】
同様に監視カメラ２０は、部屋内にいる侵入者の映像信号を監視サーバシステム４０へ送信する。この監視カメラ２０は、映像信号を常時出力する。監視サーバシステム４０は所定期間毎の二つの映像信号を比較し、映像信号に変化があった場合に侵入者が監視カメラ２０の撮影範囲内にいると判断して異常を検出するようにしてもよい。
または、監視カメラ２０は撮像待機に設定され、通常は映像信号の出力を停止させ、例えば、異常検出センサ１０の何れかから出力された検出信号をトリガとし、監視サーバシステム４０が撮像を開始するように監視カメラ２０を制御するようにしても良い。
【００３２】
監視サーバシステム４０は、上記のように異常検出センサ１０からの検出信号または監視カメラ２０からの映像信号に応じて異常を検出する。そして監視サーバシステム４０は、ネットワーク５０を介して外部端末６０と通信を行う。この外部端末６０とは、居宅・事務所・小規模事業所の管理者・所有者、または、警察・警備会社等の関係機関の電話器または携帯電話器である。監視サーバシステム４０は、異常を検出したとき、予め設定した電話番号を有する外部端末６０に異常を通知する内容の音声を発信する。外部端末６０である電話器・携帯電話器の受話器から聞こえる音声により、上記の管理者・所有者または警察・警備会社等の関係機関の監視員が異常を察知できる。なお、外部端末６０は音声が出力できるものならば良い。
【００３３】
同様に監視サーバシステム４０は、上記のように異常検出センサ１０からの検出信号または監視カメラ２０からの映像信号に応じて異常を検出する。そして、監視サーバシステム４０は、ネットワーク５０を介して外部端末６０と通信を行う。この外部端末６０とは、居宅・事務所・小規模事業所の管理者・所有者、または、警察・警備会社等の関係機関のパーソナルコンピュータまたは携帯電話器である。監視サーバシステム４０は、異常を検出したとき、予め設定したメールアドレスを有する外部端末６０に異常を通知する内容の電子メールを送信する。外部端末６０であるパソコンコンピュータ（パソコン）６１または携帯電話器６２のディスプレイ画面に表示される電子メールにより、上記の管理者・所有者または警察・警備会社等の関係機関の監視員が異常を察知できる。なお、外部端末６０はテキストデータが表示できるものならば良い。
【００３４】
このような場合、管理者・担当者は外部端末６０を操作し、外部端末６０は操作信号を出力する。この操作信号を受けて監視サーバシステム４０は、宅内(または宅周辺の屋外)に設置された監視カメラ２０からの映像信号をネットワーク５０を介して外部端末６０へ転送し、映像により宅内を閲覧して確認できる。なお、この閲覧に際しては利用者本人認証(パスワード)機能で保護する。
さらに、外部端末６０から出力された操作信号に応じて、監視サーバシステム４０は、監視カメラの撮影位置を移動させる制御信号を監視カメラ２０へ送信するようにしても良い。
これにより、宅内の所望の位置の状態（もしくは侵入者）を目視確認することができ、可能であれば、併せて、パソコン６１、携帯電話器６２で映像を動画データまたは画像データとして保存することで、後に警察への証拠として提出することも可能である。
【００３５】
続いて、このようなセキュリティシステムでは各種の変形形態が可能であり、これら変形形態について説明する。
図２（ａ）では、宅内ネットワーク３０としてマイクロＬＡＮ３３およびＬＡＮ３４を用いている。また、監視サーバシステム４０ではルータおよびハブ機能を有する接続装置４４を介してシステム構成している。
【００３６】
例えば、図１では宅内ネットワークの一部として無線ＬＡＮ２１を用いていたが、この無線ＬＡＮ２１に代えて図２（ａ）で示すようにケーブルによるＬＡＮ３４を用いて宅内ネットワーク３０を構築している。このＬＡＮ３４は、画像データの高速送信が可能である１００Ｂａｓｅ−ＴＸまたは１０Ｂａｓｅ−Ｔの規格による。このようにケーブルによるＬＡＮ構成を採用しても良い。
また、異常検出センサ１０と監視カメラ２０とでは異なる規格のＬＡＮが使用されているが、映像信号の画質劣化を許容すれば図１で示した幹線ネットワーク３１に支線ネットワーク３２を介して監視カメラ２０を接続することもできる。
さらに、異常検出センサ１０を用いずに監視カメラ２０のみとするなど目的応じて適宜機能を限定しても良い。
さらにまた、宅内ネットワーク３０として全てを無線ＬＡＮによるネットワークとしても良いが、宅内での無線通信量の増大は好ましくなく、可能な限り有線通信とすることが好ましい。
【００３７】
続いて他の形態について説明する。図２（ｂ）では、宅内ネットワーク３０として宅内電灯線３５、電源コンセント３６、電灯線通信装置３７、電源線３８による電灯線通信（ＰＬＣ：Power Line Communication）および先に説明したＬＡＮ３４を用いている。また、監視サーバシステム４０ではルータおよびハブ機能を有する接続装置４４を介してシステム構成している。
この形態では宅内ネットワーク３０の省配線化を図るため、宅内電灯線３５が幹線ネットワークに相当し、また、電源線３８が支線ネットワークに相当するものであり、監視サーバシステム４０のホームサーバ４２に電源を供給する電源線３８・電源コンセント３６（支線ネットワーク）を通じて幹線ネットワークである宅内電灯線３５とホームサーバ４２とが接続される。また、異常検出センサ１０に電源を供給する電源線３８・電源コンセント３６（支線ネットワーク）を介して宅内電灯線３５（幹線ネットワーク）と異常検出センサ１０と接続される。この場合、異常検出センサ１０には電灯線通信装置３７が内蔵されており電力信号と通信信号を分離し、通信を可能とする。
なお、場合によっては異常検出センサ１０と監視カメラ２０とを含む構成、または、監視カメラ２０のみの構成としても良い。
【００３８】
さらにこのようなセキュリティシステムでは、他に各種機能を追加することができる。
例えば、先に説明した異常検出センサ１０に他の種類のセンサを追加して含めることができる。例えば、電力会社により取り付けられ、漏電を検出して検出信号を発信する漏電検出センサ、ガス会社により取り付けられ、ガスを検出して検出信号を発信するガス検出センサ、管理者自信が取り付け、火災を検出して検出信号を発信する火災検出センサという災害検出センサを含めるようにしても良い。これら災害検出センサの検出信号を受信するための入力端子を設け、入力端子毎に自動通報の要否を設定できるようにしてもよい。
これら災害検出センサも、図１で示すように幹線ネットワーク３１にてバス型で複数接続され、災害検出センサから検出信号が検出された場合も監視サーバシステム４０が上記したように外部端末６０に通報して、異常を早期に発見することができる。
【００３９】
また、セキュリティシステムでは、さらに異常検出センサ１０が感応した場合に警報を発する警報装置（図示せず）を備えるようにしても良い。この警報装置は、例えば、不法侵入者へ威嚇警報を行うスピーカ又は回転灯である。この警報装置は、前記した異常検出センサ１０に内蔵され、例えば、異常検出センサ１０から検出信号が出力された場合、監視サーバシステム４０が特定した異常検出センサ１０が内蔵する警報装置を動作させる制御信号を出力して、警報装置を動作させる。この威嚇により侵入者が退散すれば、防犯効果も奏しうる。発報方法は発報ユニットのバリエーション(ブザー、音声、音楽等)から選択可能である。
【００４０】
また、このセキュリティシステムでは、宅内ネットワーク３０に接続され、押下時に外部へ通報する緊急通報スイッチ（図示せず）を備え、先の警報装置と連動するようになされる。これにより、例えば、帰宅時に侵入者と鉢合わせしたような場合、緊急通報スイッチを押して直ちに警報を出力するようにすれば、侵入者が退散し、負傷するおそれを低減することができる。また、ネットワーク５０を介して、警察・警備会社等の関係機関へ通報すれば、侵入者の身柄確保も図れる。宅内に緊急通報スイッチを設け、侵入者との遭遇、急病等の緊急時にスイッチを押すことにより、上記の自動通報機能の設定に従い通報する。
【００４１】
こうして、一般個人や小規模事業者等は、本発明によるセキュリティシステムを構築することにより、増加傾向にある凶悪窃盗あるいは火災等防犯、防災に対処せんと、自己防衛が可能となる。しかも、本発明によるセキュリティシステムは、誤認や誤報等トラブルも少なく、低コスト、低維持管理費は勿論のこと、特に専門的な知識や技術に基づく操作や保守を不要としており、一般個人や小規模事業者等が採用し易く、更に、多機能の携帯電話器やブロードバンドインターネット等インフラ環境の整備に伴い普及し易くいものとしている。
【図面の簡単な説明】
【００４２】
【図１】本発明を実施するための最良の形態のセキュリティシステムの配置図である。
【図２】本発明を実施するための他の形態のセキュリティシステムの構成図であり、図２（ａ）はマイクロＬＡＮ利用システムの構成図、図２（ｂ）は電灯線搬送利用システムの構成図である。
【符号の説明】
【００４３】
１００：セキュリティシステム
１０：異常検出センサ
１１：人感センサ
１２：ドアセンサ
１３：窓センサ
２０：監視カメラ
２１：無線ＬＡＮ
３０：宅内ネットワーク
３１：幹線ネットワーク
３２：支線ネットワーク
３３：マイクロＬＡＮ
３４：ＬＡＮ
３５：宅内電灯線
３６：コンセント
３７：電灯線通信装置
３８：電源線
４０：監視サーバシステム
４１：ブロードバンドモデム
４２：ホームサーバ（Ｗｅｂサーバ）
４３：パソコン
４４：接続装置
５０：ネットワーク（インターネット）
６０：外部端末
６１：パソコン
６２：携帯電話器
【図１】
2005208878.tif 000003
【図２】
2005208878.tif 000004